(57)【特許請求の範囲】
【請求項１】
相手方コネクタの端子と接触する複数のコンタクトと、該コンタクトを保持するハウジングと、該ハウジングが前記コンタクトを付勢して撓めるコンタクト付勢手段と、前記相手方コネクタとロックするロック手段とを具備する低挿入力型コネクタにおいて、
前記ハウジングが、該ハウジングと嵌合した前記相手方コネクタを完全嵌合直前の嵌合深さに維持する離間手段と、前記コンタクト付勢手段、前記離間手段及び前記ロック手段を一体的に駆動する駆動手段とを更に具備し、
前記ロック手段は前記相手方コネクタと漸増的にロックし、
前記コンタクト付勢手段は前記コンタクトの列間に配置され、
前記駆動手段は、前記ハウジングに回転可能に支持された軸と、該軸に連結された操作部材とを有し、前記コンタクト付勢手段、前記離間手段及び前記ロック手段が前記軸に一体的に形成され、
前記相手方コネクタとの嵌合時に、前記駆動手段を駆動することにより、前記コンタクト付勢手段が前記コンタクトと前記相手方コネクタの前記端子とを接続させ、前記離間手段が前記完全嵌合直前の嵌合深さの維持を解除すると共に、前記ロック手段が前記相手方コネクタを前記完全嵌合直前の嵌合深さから完全嵌合状態に引き込むように前記相手方コネクタとロックすることを特徴とする低挿入力型コネクタ。
【請求項２】
前記コンタクト付勢手段が前記コンタクトを前記端子と接触するよう付勢する第１カム部材であり、前記離間手段が、前記完全嵌合直前で前記相手方コネクタの嵌合面と当接する当接位置と、前記嵌合面と当接しない非当接位置とをとりうる第２カム部材であり、前記ロック手段が前記軸の回転に伴って前記コネクタ同士が相対的に接近するよう、前記相手方コネクタの突起と係合する係合カム面を有するカギ形部材であることを特徴とする請求項１記載の低挿入力型コネクタ。
【発明の詳細な説明】
【０００１】
【発明の属する技術分野】
本発明は低挿入力型コネクタに関し、特に相手方のコネクタと完全嵌合状態においてロックするロック機構を有する低挿入力型コネクタに関するものである。
【０００２】
【従来の技術】
コネクタのコンタクトが多数になるほど、所謂、多極コネクタになるほど、コネクタの嵌合に要する挿入力は大きくなり、嵌合操作が困難、或いは不可能になる。そこで、ＬＩＦ（低挿入力）、或いはＺＩＦ（零挿入力）コネクタと称される低挿入力型の電気コネクタが開発されてきている。
【０００３】
この種の低挿入力型コネクタとしては、特開昭５９−１３９５８３号および特開平４−３４２９７４号に開示された電気コネクタが知られている。前者の従来技術は零挿入力型コネクタに関するものであり、固定接続端子とプラグ端子を接続するのに、回転軸に固定した接触子を介して電気的に接続するようになっている。操作にあたっては、最初に、プラグ端子が、固定接続端子と離隔した状態に挿入され、次に回転軸を回転させることによって、回転軸に固定された接触子を回転して、この接触子をプラグ端子と固定接続端子の両方に接触させて、電気的に接続している。
【０００４】
また、後者の従来技術の低挿入力型コネクタにおいては、通常閉状態の接触片を拡開させる拡開手段を有する。接触片を拡開した状態でコネクタを嵌合させて、他方のコネクタの接触片を受け入れた後、拡開手段を解除して接触片同士を接触させるようになっている。嵌合したコネクタ同士の接触片が接触した状態で、両コネクタを僅かに離間させて接触片のワイピング（払拭）を行なっている。このワイピングはスライド手段によりなされる。拡開手段とスライド手段は、直線的に摺動するカム駆動部材により順次駆動されるよう構成されている。
【０００５】
【発明が解決しようとする課題】
前述のいずれの従来技術においても、コネクタ同士の嵌合状態は、接触しているコンタクト同士の摩擦係合力に依存して維持されている。従って、コネクタが受ける外力によっては、コンタクトが接触不良となるか、或いはコネクタの嵌合状態が外れる虞がある。また、後者の従来技術においては、ワイピングのために両コネクタの嵌合面の間に間隙が生じるので、嵌合が完全に完了しているか否かを外観から判断しにくい。
【０００６】
また、前者のコネクタにあっては、回転軸の他に接触子を低挿入力の為に必要としており、後者のコネクタにあっては、拡開手段およびスライド手段として、夫々複数の部材を必要としている。
【０００７】
本発明は以上の点に鑑みてなされたものであり、強制ワイピングを伴った低挿入力嵌合ができ、コネクタ同士をロックしてコネクタの嵌合完了状態を確認することができるとともに、嵌合完了状態をこのロックにより維持することができる低挿入力型コネクタを提供することを目的とする。
【０００８】
本発明の他の目的は、部品点数の少ない低挿入力型コネクタを提供することにある。
【０００９】
【課題を解決するための手段】
本発明の低挿入力型コネクタは、相手方コネクタの端子と接触する複数のコンタクトと、このコンタクトを保持するハウジングとからなり、ハウジングが、コンタクトを付勢して撓めるコンタクト付勢手段と、通常ハウジングと嵌合した相手方コネクタを完全嵌合直前の嵌合深さに維持する離間手段と、相手方コネクタと漸増的にロックするロック手段と、コンタクト付勢手段、離間手段およびロック手段を一体的に駆動する駆動手段とを備え、相手方コネクタとの嵌合時に、駆動手段を駆動することにより、コンタクト付勢手段がコンタクトと相手方コネクタの端子とを接続させ、離間手段が完全嵌合直前の嵌合深さの維持を解除すると共に、ロック手段が相手方コネクタを完全嵌合直前の嵌合深さから完全嵌合状態に引き込むように相手方コネクタとロックすることを特徴とするものである。
【００１０】
低挿入力型コネクタとは、ＺＩＦ（零挿入力）型コネクタを含めたものをいう。
【００１１】
駆動手段は、ハウジングに回転可能に支持された軸と、この軸に連結された操作部材を有し、コンタクト付勢手段、離間手段およびロック手段が軸に一体的に形成されているよう構成することができる。
【００１２】
コンタクト付勢手段は、コンタクトを端子と接触するよう付勢する第１カム部材であり、離間手段は、完全嵌合直前で相手方コネクタの嵌合面と当接する当接位置と、嵌合面と当接しない非当接位置とをとりうる第２カム部材であり、ロック手段は、軸の回転に伴ってコネクタ同士が相対的に接近するよう、相手方コネクタの突起と係合する係合カム面を有するカギ形部材であるよう構成することができる。
【００１３】
【発明の効果】
本発明の低挿入力型コネクタは、ハウジングが、コンタクトを付勢して撓めるコンタクト付勢手段と、通常ハウジングと嵌合した相手方コネクタを完全嵌合直前の嵌合深さに維持する離間手段と、相手方コネクタと漸増的にロックするロック手段と、コンタクト付勢手段、離間手段およびロック手段を一体的に駆動する駆動手段とを備え、相手方コネクタとの嵌合時に、駆動手段を駆動することにより、コンタクト付勢手段がコンタクトと相手方コネクタの端子とを接続させ、離間手段が完全嵌合直前の嵌合深さの維持を解除すると共に、ロック手段が相手方コネクタを完全嵌合直前の嵌合深さから完全嵌合状態に引き込むように相手方コネクタとロックするので、次の効果を奏する。
【００１４】
即ち、ロック手段が相手方コネクタを完全嵌合直前の嵌合深さから引き込むことにより強制ワイピングを伴った低挿入力嵌合ができる。更に、コネクタ同士をロックすることにより、嵌合が完了したことを確認することができるとともに、嵌合完了状態をこのロックにより維持することができる。また、嵌合しているコネクタ間に隙間がないので、コネクタが完全嵌合していることを外部から視認できる。
【００１５】
また、駆動手段が、ハウジングに回転可能に支持された軸と、この軸に連結された操作部材を有し、コンタクト付勢手段、離間手段およびロック手段が軸に一体的に形成されている場合には、構造が簡単になり、部品点数が少なくてすむ。
【００１６】
更に、コンタクト付勢手段が、コンタクトを端子と接触するよう付勢する第１カム部材であり、離間手段が、完全嵌合直前で相手方コネクタの嵌合面と当接する当接位置と嵌合面と、当接しない非当接位置とをとりうる第２カム部材であり、ロック手段が、軸の回転に伴ってコネクタ同士が相対的に接近するよう、相手方コネクタの突起と係合する係合カム面を有するカギ形部材である場合にも、同様に部品点数が少なくてすむ。
【００１７】
【発明の実施の形態】
以下、本発明の低挿入力型コネクタ（以下、単にコネクタという）の好ましい実施の形態について、添付図面を参照して詳細に説明する。図１は、本発明のコネクタの正面図、図２は、図１のコネクタの平面図、図３は、図１のコネクタの側面図、図４は、図１のコネクタの底面図、図５は、図１の５−５線に沿うコネクタの拡大断面図、図６は、図１のコネクタの拡大分解斜視図をそれぞれ示す。以下、図１乃至図６を参照して説明する。
【００１８】
コネクタ１は、図５および図６に最もよく示すように、凹部４を有する直方体のハウジング２と、凹部４内に配置されるコンタクト組立体６と、このコンタクト組立体６を駆動する軸８およびこの軸８に連結されたレバー（操作部材）１０と、これらを凹部４内に保持するカバー部材１２とを有する。このハウジング２は、電磁シールド（遮蔽）の為に金属、例えば亜鉛ダイカスト等により成形されている。ハウジング２の底壁１４（図５）には、ハウジング２の長手方向に沿って延びる２つの矩形の開口１６が並列に形成されている。各開口１６の内側縁は、対向して内側に突出したフランジ４０（図５、図６）として形成されている。この開口１６の両端部には、ハウジング２の高さの略１／２の高さを有する支持壁１７が、一体に形成されている（図６）。この２つの支持壁１７を連結する分離壁１８が、開口１６、１６の間の底壁１４に一体に形成されている。
【００１９】
図６に示すように、各開口１６の両端部の支持壁１７の上面には、逃げ溝２０と、この逃げ溝２０をハウジング２の長手方向に通過するように、逃げ溝２０の両側に隣接して、湾曲した支持溝２２が形成されている。なお、図６では、２対の支持溝２２のうち、片側の開口１６に対応する１対のみを示している。支持壁１７の上面中央には、２つの逃げ溝２０の間に雌ねじ２３が、底壁１４に向けて形成されている。両支持壁１７の外側、即ちハウジング２の端壁２６ａ、２６ｂの内側には、空間２４が形成されている。また、端壁２６ｂには、凹部４の上縁４ａから下方に延びる切欠き５が形成されている。
【００２０】
次に、凹部４に配置されるコンタクト組立体６について説明する。コンタクト組立体６は、形状の異なる２種類のコンタクト２８、３０が、それぞれ樹脂で成形された絶縁性のベース部材２６に、インサートモールドにより保持されて構成されている。なお、このベース部材２６は、第１の実施形態を示す。コンタクト２８、３０は、ばね性銅合金板を打抜き加工および曲げ加工して形成されたものであり、おのおの本体３４と、本体３４から下方に延びて基板（図示せず）に取り付けられるタイン３２とを有する。本体３４は、外側に膨出するように形成されている。本実施形態では、ベース部材２６は、２つに分割されたものにそれぞれコンタクト２８、３０の列を配設し、このベース部材２６を合体させて構成している。この２つのベース部材２６同士のの位置合わせは、互いの合わせ面において図示しない凹凸係合により行われる。ベース部材２６は、ハウジング２の開口１６に圧入により取り付けられる。ベース部材は２つのコンタクト列を配置した一体の部材としてもよい。図４に示すハウジング２の取付孔３９は、ハウジング２を基板上に載置してボルトで固定するためのものである。
【００２１】
図５に示すように、コンタクト組立体６の各コンタクト２８、３０の湾曲した本体３４の先端部分は、内側に収束し、更に直線的に延びる接触部３６を有する。この接触部３６の先端は、更に内側に折り曲げられた係止端部３８を有する。コンタクト組立体６は、ベース部材２６を開口１６に配置することにより、ハウジング２に取り付けられる。即ち、ベース部材２６は、開口１６内に対向して内側に延出した前述のフランジ４０上に載置される。この時、タイン３２は、図１及び図３に示すように、ベース部材２６の底面から下方に突出する。
【００２２】
次にこのコンタクト２８、３０の列の間に配置される軸８とレバー１０について説明する。軸８は、ステンレス鋼等の金属材料で成形されており、図６に最もよく示すように、２対のコンタクト列に対応して２つあって、コンタクト２８、３０の列間に各々配置される。なお、図５、図１４、図１５、図１７および図１８の各断面図において、軸８は省略されている。各軸８上にインサート成形して形成された本体（第１カム部材、即ちコンタクト付勢手段）７は、断面形状が、図５に示すように楕円形のカムになっており、通常は、図５に示すように長径を上下方向に向けた状態で配置されている。
【００２３】
本体７の両端には、縮径部４２を経てカム（第２カム部材、即ち離間手段）４４が形成され、更にその外側には、別の縮径部４６を経て、カギ形部材（ロック手段）４８が形成されている。カム４４は、後述するが、外径が丸みを有する略３角形の形状であり、通常は、軸心から一番遠い部分（停止部４４ａ（図１４））が上向き、即ち相手方コネクタに向けて配置されている。この時、軸８の本体７は図５に示す位置にある。これら、軸８、この軸８上に取り付けられたレバー１０を駆動手段という。本実施形態では、カム４４は軸８と一体に形成されているが、別体のものにしてもよい。また、カギ形部材４８は、別体の部材として軸８の端部に取り付けられている。
【００２４】
カギ形部材４８は、本体７と共に回動する平板部５０と、この平板部５０から延出して、軸８の周りの回転円弧に概ね沿った形状の爪５２を有する。爪５２は、通常は２つの軸８の間で、爪５２の先端５３が上を向いた状態になっている。カギ形部材４８の外側には、カギ形部材４８に隣接して、ギア５４が形成されている。即ち、ギア５４は各軸８の両端部に形成されており、且つ２つの軸８が互いに組み合うように、扇形に形成されている。ギア５４の歯５６は、扇形の円弧面に形成されている。レバー１０は、２つの軸８の一方の端部に取り付けられており、アーム１０ａと操作部１０ｂからなっている。
【００２５】
軸８を所定の位置に配置すると、各軸８の縮径部４２、４６が、対応する支持溝２２に載置され、カム４４が、逃げ溝２０内に収容される。この状態で、ギア５４の歯５６は、互いに組み合っており、レバー１０を回動すると、レバー１０が連結されている軸８と連動して、ギア５４を介して他方の軸８も回動される。このときの回転する方向は、互いに逆向きとなる。
【００２６】
次に、絶縁性のカバー部材１２に付いて説明する。カバー部材１２は矩形形状を呈し、コンタクト２８、３０の列に対応して、カバー部材１２の長手方向に延びる２列の保持部６０、６０を主面６２上に有する。各保持部６０は主面６２から突出して、カバー部材１２と一体に形成されている。その両側には、図６に最もよく示すように、コンタクト２８、３０の接触部３６に対応する位置に、多数の上下方向に延びるスロット６４が、保持部６０の長手方向に沿って配列されている。これらのスロット６４には、コンタクト２８、３０の接触部３６が臨み、相手方の端子と接触するようになっている。
【００２７】
図５に示すように、保持部６０の内側には、隔離壁６６によって中央が分割された空間６８が形成されている。この空間６８の上部即ち保持部６０の平坦面６１近傍に係止凹部７０が形成されている。保持部６０の両端部には、カバー部材１２の幅の中央に孔７２（図６）が穿設されている。この孔７２に隣接して、カバー部材１２の幅方向の両側には、細長い矩形の開口７４が形成されている。開口７４の両側の壁、即ちカバー部材１２の長手方向に離隔した壁７６には、前述の支持溝２２に対応する湾曲溝７８が形成されている。この開口７４には前述のカム４４が、配置される。更に開口７４の外側のカバー部材１２の両端近傍には、カバー部材１２の幅方向に亘る開口８０が形成され、この開口８０にカギ型部材４８が配置される。カバー部材１２の両端は、連結部８２で連結されている。一方の連結部８２の端壁８４には、レバー１０に連結される軸８の端部を受容する湾曲凹部８６が形成されている。
【００２８】
次に、カバー部材１２をハウジング２に取り付けるには、ハウジング２の凹部４に、カバー部材１２を配置し、ボルト１３を孔７２に挿通し、更に、ハウジング２の雌ねじ２３に螺合させて固定する。そして、図５に示すように、前述のコンタクト２８、３０の係止端部３８は、カバー部材１２の係止凹部７０に係止される。これによりコンタクト２８、３０は、ベース部材２６と係止凹部７０との間で、横方向即ち嵌合方向と交差する方向に撓みうる状態となる。そして、前述の湾曲溝７８と支持溝２２により軸８の縮径部４２，４６が保持されて、軸８がハウジング内で回動可能に支持される。また、レバー１０は、ハウジング２の切欠き５から外側に突出し、ハウジング２の外部からレバー１０を操作することが可能となる。コネクタ同士が嵌合する前は、軸８は図５に示す位置になっている。即ち、コンタクト２８、３０の本体３４および接触部３６は、最も内方に位置した状態になっている。
【００２９】
次に、図７乃至図１０を参照して、コネクタ１と嵌合する相手方のコネクタ１００について説明する。図７は、コネクタ１００の正面図、図８は、図７のコネクタの平面図、図９は図７のコネクタの側面図、図１０は、図７のコネクタの底面図である。
【００３０】
コネクタ１００は、細長い矩形のハウジング１０２と、コンタクト１０４を有する。ハウジング１０２もハウジング２と同様に、電磁シールドのために金属製ダイカストにより構成されている。コネクタ１と組み合う嵌合部１０６の両端部には、前述の連結部８２と相補的な形状の段部１０８が形成されている。各段部１０８の外向きの端面１１０には、ハウジング１０２の長手方向に延びる突起１１２が前述の２つの軸８に対応して突設されている。コネクタ１００の後部即ち図７の下側には、コンタクト１０４のタイン１１４が突出している。嵌合部１０６には、保持部６０を受容する嵌合凹部１１６が、保持部６０に対応して２つ並列に形成されている（図８）。また、ハウジング１０２の端面１１８には、前述の切欠き５に対応する位置に、キー突起１２０が形成されている。このキー突起１２０は、コネクタ同士の嵌合時にコネクタ１のハウジング２の切欠き５に嵌入する幅を有している。コネクタ１００のタイン１１４は、図１０に示すように、２列に配置されており、これが２対配置されている。コネクタ１００が取り付けられる２枚の基板の各々（図示せず）は、１対のタイン１１４の間に配置されて、基板の両側に接続されると共に、取付タブ１３５の取付穴１３７に挿通されるねじ（図示せず）によりコネクタ１００に固定される。
【００３１】
次に、図１１乃至図１６を参照して、コネクタ１とコネクタ１００が嵌合した状態について説明する。図１１は、本発明のコネクタ１と相手方のコネクタ１００が嵌合したコネクタ組立体（以下、単に組立体という）１９０を示す正面図、図１２は、図１１の組立体１９０の側面図、図１３は、図１２の１３−１３線に沿う組立体１９０の断面図、図１４は、図１１の１４−１４線に沿う組立体１９０の拡大断面図、図１５は、図１１の１５−１５線に沿う組立体１９０の拡大断面図、図１６は、図１１の１６−１６線に沿う組立体１９０の拡大断面図である。
【００３２】
図１１、図１２はコネクタ同士が嵌合した初期の状態、即ちコネクタ１００とコネクタ１の完全嵌合直前の状態を示すものである。従って、両コネクタ１、１００は完全には嵌合していない。この状態では、レバー１０は、図１２に最もよく示すように、操作部１０ｂが図１２において、ハウジング２の右側に位置している。図１２には、コネクタ１００のキー突起１２０が、コネクタ１の切欠き５内に進入しているのが明瞭に示されている。キー突起１２０と切欠き５が組み合う方向でのみ、両コネクタ１、１００が嵌合することが可能である。
【００３３】
図１３には、軸８の縮径部４２、４６が、支持溝２２内に配置され、カム４４が逃げ溝２０に配置されているのが明瞭に示されている。また、カギ型部材４８と、ギア５４が、ハウジング２の空間２４内に配置されているのが、明瞭に示されている。
【００３４】
次に、この状態、即ちコネクタ１００とコネクタ１の完全嵌合直前の状態にある両コネクタの位置関係について説明する。図１４に示すように、コネクタ１００が、コネクタ１に挿入されると、コネクタ１００の嵌合面１２２は、当接位置にあるカム４４の停止部４４ａに当接して、コネクタ１の嵌合面１２２が、コネクタ１のカバー部材１２との間に間隙を残した状態で停止する。組立体１９０の外部からは、コネクタ１とコネクタ１００の間に、ギャップＧが視認できる。なお、図中１３０は、コンタクト１０４を保持したコンタクト保持部材を示す。このコンタクト保持部材１３０は、ボルト１３２によりハウジング１０２に固定されている。
【００３５】
完全嵌合直前では、軸８の本体７と、コンタクト２８、３０は、図１５に示す位置関係にある。即ちコンタクト２８，３０は、本体７の長径が縦方向にあるため、最も内側に変位した状態となっている。従って、コンタクト２８、３０の接触部３６もスロット６４の外側に付勢されることなく、スロット６４内に位置している。他方、挿入されるコネクタ１００の端子の先端の接触部１２６は、コンタクト２８，３０の接触部３６と、僅かに接触した、接圧の低い状態にある。従ってこのときに要する挿入力は、少なくてすむ。なお、この時、接圧が全く生じないようにしてもよい。換言すると、コネクタ同士は、端子１０４とコンタクト２８、３０が、非接触状態で嵌合してもよい。
【００３６】
なお、図１５に示すベース部材２７は、第２の実施形態を示す。即ちベース部材２７は、ベース部材２７の両側下端に、ベース部材２７の長手方向に延びるリブ２７ａを有し、このリブ２７ａがハウジング２の開口１９の段部１９ａに、下方から当接して取り付けられている。これ以後の説明にあたり参照する図においては、コネクタ１は、この第２の実施形態のベース部材２７を使用している。
【００３７】
次に図１６を参照して、完全嵌合直前におけるカギ形部材４８の位置について説明する。カギ形部材４８は、爪５２の部分で互いに重なり合い、先端５３が上向きに配置されている。従って、カギ形部材４８の平板部５０と爪５２との間に形成される係合空間５５は、上方に開口している。この時、コネクタ１００の突起１１２が、カギ形部材４８を回動させたとき、前述の係合空間５５内に収容される位置にあることが重要である。なお、図中平板部５０の中心部にある角穴５０ａは、軸８の端部の形状が、この角穴５０ａと相補形になっており、それらが互いに組み合っている状態を示している。また、角穴５０ａの外側にある断面円形の部材は２つのカギ形部材４８を、紙面と直交方向に位置ずれさせるためのスペーサ５９である。なお、軸８は、一端のギア５から他端のギア５まで一貫して同一の断面形状に形成されてもよい。また、軸８の断面形状は、３角形、６角形、等の４角形以外の形状でもよい。
【００３８】
次に、レバー１０を回動させて、コネクタ同士を完全嵌合させたときの状態について説明する。図１７は、図１１の１４−１４線に沿う、軸８を約９０°回動した状態、即ち完全嵌合状態の、図１４と同様な組立体１９０の拡大断面図である。図１８は、同様に軸８を約９０°回動させたときの、図１５と同様な組立体１９０の拡大断面図である。図１９は、同様に軸８を約９０°回動させてカギ形部材４８と突起１１２を係合させた状態の、図１６と同様な１６−１６線に沿う組立体１９０の断面図である。以下、図１７乃至図１９を参照して説明する。
【００３９】
レバー１０を約９０°回動させると軸８と連動してカム４４も、互いに逆方向に回動する。そして、コネクタ１００の嵌合面１２２と当接していたカム４４の停止部４４ａが、嵌合面１２２から離れて、逃げ溝２０内で横向きになる。即ちカム４４は非当接位置となる。従ってコネクタ１００は、コネクタ１に対し、更に進入することが可能になる。レバー１０は、回動された結果その位置が、図１４に示す位置と逆側になっており、図１７のコネクタ１００は、完全嵌合位置にある状態を示す。
【００４０】
次にコンタクト２８、３０と、端子１０４の関係について図１８を参照して説明する。軸８の本体７が、約９０°回動すると、本体７の長径が横向きとなり、コンタクト２８，３０の本体３４を外側に押圧する。これにより、コンタクト２８、３０の接触部３６も外側に変位して、コネクタ１００の端子１０４の方に付勢され、端子１０４と接触する。これにより、端子１０４とコンタクト２８，３０の電気的接続がなされる。
【００４１】
次にコネクタ同士のロック（錠止）について、図１９を参照して説明する。軸８の回動に伴い、カギ形部材４８の係合空間５５にコネクタ１００の突起１１２が、進入し始めると、爪５２の内側、即ち係合空間５５の外側の側縁となる係合カム面５７と突起１１２が係合する。係合カム面５７は、スロット５５の内方となるに従い、平板部５０の中心、即ち軸８の軸心に近づくように形成されている。即ち、係合カム面５７は漸増的に形成されている。従って、カギ形部材４８を回動させるに従い、突起１１２はコネクタ１の方に引き込まれる。即ちコネクタ１００は、コネクタ１に引き込まれ、端子１０４とコンタクト２８，３０の間にワイピングがなされると共に、これによってコネクタ同士が、完全嵌合位置でロックされる。レバー１０を、円滑に回動することができて、ロックがかかれば、これによってコネクタ同士が完全に嵌合したことが確認できる。また、図１４に示したコネクタ間のギャップＧがなくなるので、外観からもコネクタ同士が完全に嵌合したことが確認できると共に、ハウジング２、１０２が電気的に相互接続される。
【００４２】
以上、本発明について詳細に説明したが、コンタクト付勢手段については、他の構成としてもよい。即ち、コンタクト付勢手段をコンタクト列の外側に配置し、コンタクトを、予め外側に膨出した形状に形成しておく。コンタクトは、コンタクト付勢手段により、外側から内方に向けてコンタクトを付勢したときのみ、コンタクトが内方に撓められるようにしてもよい。この場合には、コネクタの嵌合の際に、コンタクト付勢手段が働いてコンタクトは内側に撓められ、嵌合後はコンタクト付勢手段が解除されて、コンタクトが外側に復帰してコネクタ同士の電気的接続がなされることとなる。
【００４３】
また、ハウジング２は、電磁的遮蔽を目的としない場合には、樹脂製でもよい。
【図面の簡単な説明】
【図１】本発明の低挿入力型コネクタの正面図
【図２】図１の低挿入力型コネクタの平面図
【図３】図１の低挿入力型コネクタの側面図
【図４】図１の低挿入力型コネクタの底面図
【図５】図１の５−５線に沿う低挿入力型コネクタの拡大断面図
【図６】図１の低挿入力型コネクタの拡大分解斜視図
【図７】相手方コネクタの正面図
【図８】図７のコネクタの平面図
【図９】図７のコネクタの側面図
【図１０】図７のコネクタの底面図
【図１１】本発明の低挿入力型コネクタと相手方コネクタが嵌合したコネクタ組立体の正面図
【図１２】図１１のコネクタ組立体の側面図
【図１３】図１２の１３−１３線に沿うコネクタ組立体の断面図
【図１４】図１１の１４−１４線に沿うコネクタ組立体の拡大断面図
【図１５】図１１の１５−１５線に沿うコネクタ組立体の拡大断面図
【図１６】図１１の１６−１６線に沿うコネクタ組立体の拡大断面図
【図１７】図１１の１４−１４線に沿う、完全嵌合状態の図１４と同様なコネクタ組立体の拡大断面図
【図１８】図１１の１５−１５線に沿う、完全嵌合状態の、図１５と同様なコネクタ組立体の拡大断面図。
【図１９】図１１の１６−１６線に沿う、完全嵌合状態の、図１６と同様なコネクタ組立体の拡大断面図
【符号の説明】
１    低挿入力型コネクタ
２    ハウジング
７    第１カム部材（コンタクト付勢手段）
８    軸
１０    操作部材（レバー）
２８、３０    コンタクト
４４    第２カム部材（離間手段）
４８    カギ形部材（ロック手段）
５７    係合カム面
１００    相手方コネクタ
１０４    端子
１１２    突起
１２２    嵌合面
【図１】
0003710705.tif 000002
【図２】
0003710705.tif 000003
【図３】
0003710705.tif 000004
【図４】
0003710705.tif 000005
【図５】
0003710705.tif 000006
【図６】
0003710705.tif 000007
【図７】
0003710705.tif 000008
【図８】
0003710705.tif 000009
【図９】
0003710705.tif 000010
【図１０】
0003710705.tif 000011
【図１１】
0003710705.tif 000012
【図１２】
0003710705.tif 000013
【図１３】
0003710705.tif 000014
【図１４】
0003710705.tif 000015
【図１５】
0003710705.tif 000016
【図１６】
0003710705.tif 000017
【図１７】
0003710705.tif 000018
【図１８】
0003710705.tif 000019
【図１９】
0003710705.tif 000020